(57)【要約】      （修正有）【課題】交換部材を塵受け箱に付け替えて、塵受け箱体の底板、塞板および角部の摩耗、損傷、損壊を未然に回避し、耐久性を向上できる塵取り具を提供する。【解決手段】塵受け箱体Ａの底板１１と塞板１５が接続する角部Ｋに沿って、凹所を形成し、この凹所に系合する交換部材２８を装着する。また、底板および塞板の各表面には複数本の補強リブ１１ａ，１５ａが突設され、交換部材は断面Ｌ字状をなし、これら各補強リブに対応する部位に、補強リブ３０が突設されている。【選択図】図１
0003186531.tif 000002
【実用新案登録請求の範囲】
【請求項１】
塵受け用の角状の底板と、この底板の後部を立ち上げて塞板とするとともに、該底板の左右を立ち上げて一対の側面板とし、これらの側面板間上端に跨って天板を配設して前部に角状の掃き込み開口部を有するプラスチック製の塵受け箱体と、この塵受け箱体の前記掃き込み開口部を開閉する蓋体と、この蓋体両側の支軸を中心に垂直回動可能に支持され前記蓋体を開閉操作可能にするハンドルと、前記塵受け箱体の両側面板に取り付けられて前記ハンドルの下端を垂直回動可能に支持する水平軸とで構成され、
前記ハンドルの操作により、前記塵受け箱体を前記底板が床面に対面するように倒した場合には、前記掃き込み口部から塵を掃き入れ可能にし、かつ、前記底板が床面から離れる方向に前記塵受け箱体を回動させた場合には、この箱体の回動に伴って前記掃き込み口部を前記蓋体が閉じる蓋付き塵取り具であって、
前記塵受け箱体の前記底板及び前記塞板が接続する角部に沿って内側に凹所を形成し、前記凹所に系合して角部を形成する交換部材が装着されていることを特徴とする蓋付き塵取り具。
【請求項２】
前記底板および前記塞板の各該表面には複数本の補強リブが突設されていることを特徴とする請求項１記載の塵取り具。
【請求項３】
前記交換部材は断面Ｌ字状をなし、前記塵受け箱体の底板および塞板に設けられた前記各補強リブに対応する部位に、補強リブが突設されていることを特徴とする請求項１又は２記載の塵取り具。
【考案の詳細な説明】
【技術分野】
【０００１】
本発明は、ハンドルで吊下げると塵受け箱体の掃き込み口部が、連動する蓋体で覆われる蓋付き塵取り具に関する。
【背景技術】
【０００２】
舗道の路面や屋内の床面に散乱した塵を箒で掃き取って収納する塵取り具は清掃用具の一種であり、通常箒で掃き集めた路面や床面（以下、床面と略称する）上の塵（ゴミを含む）を内部に掃き込んで一時収納し、例えばゴミ箱や焼却炉等へ廃棄するのに使用される。この塵取り具はプラスチック製や金属性のものが一般的である。
【０００３】
また、業務用等には、掃き込み口部を有する箱形状の塵取り本体の両側部に柄体の基部が回動自在に連結され、柄体の中間部に蓋体が連結された蓋付き塵取りも提案されている（例えば、特許文献１参照）。この塵取り具は長い棒の先の柄を把持し、腰を屈めずに掃き取り作業が行える。この塵取り具は、前部に掃き込み口を有する箱形の本体と、この本体を吊り上げ可能に支持する支持体と、前記掃き込み口を開閉する蓋体で構成されている。
【０００４】
このような塵取り具を用いた塵の掃き込み作業では、ハンドルの操作によって塵受け箱体を吊上げて、床面上で移動させて塵を集める。このように床面上の塵を塵受け箱体内に掃き取る作業では、移動に伴いその塵受け箱の底板および掃き込み口とは反対側の塞板の角部が、連続して或いは随時、床面に接触することになる。
【先行技術文献】
【特許文献】
【０００５】
【特許文献１】特許第２６７６３２３号公報
【考案の概要】
【考案が解決しようとする課題】
【０００６】
しかしながら、かかる従来の塵取り具あっては、塵受け箱を寝かせたり、傾けたり、立ち上げたりして、床面上に移動させながら（位置をずらせながら）塵を掃き込む作業中に、その塵受け箱の底板、この底板に連続する塞板、この底板および塞板に連続する角部がその床面に接触するが、特に床面との摩擦頻度が高い角部の摩耗が顕著となり、遂にはこの角部に孔が開く。このため、この塵受け箱は以後塵取り具としての機能を果たせなくなる。かかる不都合は、特に塵受け箱がプラスチック製である場合に顕著となる。また、塵受け箱が金属製であると、路面や床面に移動させる際に金属音独特の騒音を発生し、周辺に不快感を与えるので好ましくない。
【０００７】
本発明は前述のような従来の問題点を解消するものであり、その目的とするところは、取り換え可能な交換部材の装着によって塵受け箱の底板および塞板が連続する部位の角部が床面に直接接触するのを回避することで、その角部が損耗や損壊するのを未然に回避可能にし、以って塵受け箱の耐久性を向上できる塵取り具を得ることにある。
【課題を解決するための手段】
【０００８】
前記目的達成のために、本発明にかかる蓋付き塵取り具は、塵受け用の角状の底板と、この底板の後部を立ち上げて塞板とするとともに、該底板の左右を立ち上げて一対の側面板とし、これらの側面板間上端に跨って天板を配設して前部に角状の掃き込み開口部を有するプラスチック製の塵受け箱体と、この塵受け箱体の前記掃き込み開口部を開閉する蓋体と、この蓋体両側の支軸を中心に垂直回動可能に支持され前記蓋体を開閉操作可能にするハンドルと、前記塵受け箱体の両側面板に取り付けられて前記ハンドルの下端を垂直回動可能に支持する水平軸とで構成され、前記ハンドルの操作により、前記塵受け箱体を前記底板が床面に対面するように倒した場合には、前記掃き込み口部から塵を掃き入れ可能にし、かつ、前記底板が床面から離れる方向に前記塵受け箱体を回動させた場合には、この箱体の回動に伴って前記掃き込み口部を前記蓋体が閉じる蓋付き塵取り具であって、前記塵受け箱体の前記底板及び前記塞板が接続する角部に沿って内側に凹所を形成し、前記凹所に系合して角部を形成する交換部材が装着されていることを特徴とする。
【０００９】
この構成により、ハンドル操作によって塵受け箱体が清掃作業をする際に、その塵受け箱体の底板および塞板が連続する部位である角部を覆う交換部材が、その角部が直接床に接触して摩耗することを回避する。この交換部材は前記角部を被っているので、床面との摩擦によってこの交換部材の底部および塞部は摩耗するものの、この摩耗した交換部材を別に用意した交換部材と交換するだけで、塵受け箱体の前記角部の摩耗、損傷、損壊を未然に回避でき、塵受け箱体の耐用性、長寿命化を実現可能にする。
【００１０】
この場合において、前記塵受け箱体の底板および塞板の角部に形成された凹所に系合する交換部材の外表面に複数本の補強補強リブを突設したことで、ハンドル操作によって前記塵受け箱体を立ち上げたり、或いは床面上を引きづるように移動する際に、交換部材が直ちに摩耗するのを回避できる。また、前記塵受け箱体の底板および塞板の各外表面にも、複数本の補強リブを突設したことで、上記同様に、これらの底板および塞板が直ちに摩耗するのを回避できる。このように、補強リブは、床面との接触抵抗の低減により塵受け箱体の移動をスムースに実施できる。
【００１１】
また、前記交換部材は断面Ｌ字状をなし、前記塵受け箱体の底板および塞板に設けられた前記各リブに対応する部位に交換部材側リブを突設したことで、交換部材の底部および塞部の損耗、損壊を回避しながら、その交換部材を床面に沿って滑らかに移動させることができる。
【考案の効果】
【００１２】
本発明によれば、塵受け箱体に対する交換部材の付け替え（交換）によって、この交換部材により塵受け箱体の底板および塞板が連続する角部を覆うように保護し、以って床面と対面（対向）して移動する塵受け箱体の前記角部の損耗、損壊を未然に回避可能にする。
【００１３】
以上、本発明について簡潔に説明した。更に、以下に本発明を実施するための最良の形態を添付の図面を参照して、詳細に説明する。
【図面の簡単な説明】
【００１４】
【図１】本発明の実施形態による塵取り具を示す側面図である。
【図２】図１に示した塵取り具の正面図である。
【図３】図１に示した塵取り具の塵受け箱体を寝かせた状態の側面図である。
【図４】図１〜図３に示した塵受け箱体を斜め下方から見た斜視図である。
【図５】図１〜図４に示した交換部材の斜視図である。
【図６】図５に示した交換部材を斜め下方から見た斜視図である。
【図７】本実施形態による塵取り具の使用例を示す説明図である。
【考案を実施するための形態】
【００１５】
以下、本発明の実施の形態による塵取り具を、図１乃至図７を参照して説明する。
【００１６】
図１〜図７は本実施の形態による蓋付き塵取り具の構成を示す。この蓋付き塵取り具はプラスチックの一体成形により作られており、底板１１と、側板１２、１３と、天板１４と、塞板１５とを備えて構成されている。この塵取り具において、底板１１、側板１２、１３および天板１４はこれらの一方向の端部に掃き込み口部Ｐを形成しており、さらに塞板１５とともに塵受け箱体Ａを構成している。
【００１７】
前記底板１１はほぼ角状形を形成する板状部分であり、この底板１の前縁、つまり前記掃き込み口部Ｐ側の端縁は、側板１２、１３よりも少し長めに前方へ突出する塵の掃き込み縁部１１ｂとなっている。この掃き込み縁部１１ｂにはゴムへら部材１６が装着されている。このゴムヘラ部材１６は先端に向って徐々に肉薄になるように形成されたへラ部１６ａと、このへラ部１６ａの後部に連設された一対の挟持片１６ｂ、１６ｃとからなる。これらの挟持片１６ｂ、１６ｃ間に掃き込み縁部１１ｂを挿し入れることで，ゴムヘラ部材１６はその掃き込み縁部１１ｂに弾性保持される。
【００１８】
また、必要に応じ掃き込み縁部１１ｂと挟持片１６ｂ、１６ｃとの間に接着剤を介在させることで、これらの結合力を高めて前記保持を確実なものとすることができる。これらの掃き込み縁部１１ｂおよびゴムヘラ部材１６のサイズや形状は、塵の種類や用途等に応じて任意に設定することができる。
【００１９】
側板１２、１３は底板１１の左右両側に一体に設けられて略垂直に立ち上がり、これらの上部先端側（掃き込み縁部側）には円弧状の切欠部１２ａ、１３ａが形成されている。これにより、これらの切欠部１２ａ、１３ａを通して側板１２、１３の外方から底板１１上の一部が看取可能となり、底板１１上の塵の有無を確認し易くなっている。
【００２０】
天板１４は側板１２、１３の上端に一体に連設され、これが底板１１の略２／３の領域を被うサイズ、形状をなす。塞板１５は底板１１、側板１２、１３および天板１４によって形成される筒状体の一開放端を塞ぐように、これらに一体に連設されている。従って、これらの底板１１、側板１２、１３、天板１４および塞板１５は前述の塵受け箱体Ａを成している。この塵受け箱体Ａは、開口部となる掃き込み口部Ｐ側が塞板１５側に比べて開口面積が広く、この塵受け箱体Ａ内へ塵を掃き込み易くしている。
【００２１】
前記底板１１および塞板１５には塵受け箱体Ａの外側へ突出する複数条の補強リブ１１ａ、１５ａが突設されている。これらのうち補強リブ１１ａは、図４に示すように、底板１１の前後方向に複数本、例えば４本宛設けられ、補強リブ１５ａは塞板１５の上下方向に４本宛設けられている。これらの補強リブ１１ａ、１５ａは塵受け箱体Ａを床面（路面を含む）に沿って位置をずらせるように移動する際に、塵受け箱体Ａの底板１１や塞板１５が床面と直接接触することがないように機能し、以ってこの塵受け箱体Ａのスムースな移動を可能にしている。
【００２２】
また、側板１２、１３には、塵受け箱体Ａの重心よりも掃き込み口部Ｐ側に偏った部位に水平軸１７、１７が設けられ、これらの水平軸１７、１７にコの字状をなす金属製のリンク１８の両端が、それぞれ回動可能に支持されている。さらに、このリンク１８の中央部には連結部材１９を介して棒状の金属製ハンドル２０が連接され、このハンドル２０の先端（上端）部はＬ字状のグリップ２０ａとなっている。なお、前記リンク１８およびグリップ２０ａはハンドル２０の一部を構成し、ハンドル２０と一体となって操作されるものである。
【００２３】
さらに、水平軸１７、１７を囲む部位の側板１２、１３上のそれぞれには、くの字状をなす回動規制部材２１が一体に突設されている。これらの回動規制部材２１は水平軸１７、１７を中心として回動するハンドル２０の回動領域を規制する。リンク１８には水平軸１７、１７より上方位置に支軸２３が設けられ、蓋体２２の一端部がその支軸２３を中心に垂直回動可能に支持されている。
【００２４】
この蓋体２２は塵受け箱体Ａの掃き込み口部Ｐを閉塞可能な形状、サイズをなし、前記ハンドル２０を図１および図２に示すように立ち上げた（持ち上げた）際には、前記掃き込み口部Ｐを自重により閉じるように回動する。一方、前記ハンドル２０を塵受け箱体Ａとともに、図３に示すように床面上に降して傾け、さらに寝かせた場合には、蓋体２０は天板１４上に沿って塞板１５方向に移動するので、掃き込み口部Ｐが開かれる。
【００２５】
一方、塵受け箱体Ａの底板１１、側板１２、１３および塞板１５が連続する角部Ｋには、図４に示すような切欠状の凹所２４が設けられている。この凹所２４は底面部２４ａ、側面部２４ｂ、２４ｃおよび塞面部２４ｄからなり、これらのうち側面部２４ｂ、２４ｃには一対の突条２５、２５と、これらの突条２５、２５間に位置する嵌合穴２６とが設けられている。
【００２６】
また、これらの突条２５、２５および嵌合穴２６が設置される部位付近の側板１２、１３には、凹所２４に連続する切欠２７が連設されている。これらの切欠２７はドライバなどの治具の先が挿入可能なサイズ、形状をなす。前記凹所２４には、塵受け箱体Ａのうち底板１１、側板１２、１３および塞板１５が連続する前記角部Ｋ付近の損耗または損傷を防止すための交換部材２８が、塵受け箱体の外側から着脱可能となっている。
【００２７】
この交換部材２８は、図５および図６に示すように、底部２８ａと、側部２８ｂ、２８ｃと、塞部２８ｄとを一体に有し、側部２８ｂ、２８ｃ内側のそれぞれには、各一の短円柱状の嵌合突起２９、２９が対向するように同心配置されている。また、底部２８ａ、塞部２８ｄの各外側面およびこれらに連続する角部２８ｅの外側面には、複数本の補強リブ３０が連続するように突設されている。これらの補強リブ３０は底板１１および塞板１５に設けられた補強リブ１１ａ、１５ａのそれぞれと同一の断面形状、サイズをなし、さらにこれらの補強リブ１１ａ、１５ａに対応する位置および方向に配置されている。
【００２８】
かかる構成になる交換部材２８はプラスチックの成形により得られ、潤滑性と少しの弾性を有する。このため、この交換部材２８は手作業による加圧操作によって僅かに撓み変形可能であり、これにより前記塵受け箱体Ａの前記角部Ｋへの装着が簡単に行えるようになっている。
【００２９】
塵受け箱体Ａの角部Ｋに対する交換部材２８の装着は、その交換部材２８の底部２８ａ、側部２８ｂ、２８ｃおよび塞部２８ｄを、塵受け箱体Ａの前記角部Ｋにおける底面部２４ａ、側面部２４ｂ、２４ｃおよび塞面部２４ｄにそれぞれに対向させ、さらに側部２８ｂ、２８ｃのそれぞれを外方へ押し広げる。そして、この押し広げられた側部２８ｂ、２８ｃの内側に設けられた各嵌合突起２９を前記角部Ｋにおける側面部２４ｂ、２４ｃの前記嵌合穴２６内に嵌入するようにして、前記押し広げの操作力を解除する。これにより、交換部材２８は塵受け箱体Ａの角部Ｋに装着される。このとき、各突起２５、２５は側面部２４ｂ、２４ｃに所定の圧力で摩擦接触するとともに、側面部２４ｂ、２４ｃと交換部材２８の側部２８ｂ、２８ｃとの間に、前記切欠２７に通じる間隙（図示しない）が生じる。
【００３０】
一方、このように塵受け箱体Ａの角部Ｋに装着された交換部材２８を取り外す場合には、前記切欠２７およびこれに通じる前記間隙に治具であるドライバ等の先端部を差し込み、交換部材２８の側部２８ｂまたは側部２８ｃを外方へ押し広げるようにしてこれらの上縁部を下方へ押し下げる。これにより前記嵌合穴２６から嵌合突起２９が外れ、交換部材２８は塵受け箱体Ａの角部Ｋから簡単に取り外すことができる。つまり、かかる交換部材２８の取り付けおよび取り外しによって、塵受け箱体の角部Ｋに対する交換部材２８の交換作業が簡単、迅速に行える。
【００３１】
かかる構成になる塵取り具は次のように用いられる。この塵取り具は、不使用状態にある場合には、図１および図２に示すように、塵受け箱体Ａが、これの塞板１５が補強リブ１５ａを介して床面に対向および設置するように起立した状態となる。この塵受け箱体Ａの起立姿勢は、前記ハンドル３０を持ち上げ操作し、底板１１を床面に沿う水平状態から傾斜状態に変化させ、さらに垂直方向に起立させることにより得られる。
【００３２】
この塵受け箱体Ａの起立状態では、ハンドル２０の下端が水平軸１７に支持されて略垂直方向に起立され、交換部材２８の塞部２８ｄが補強リブ３０を介して床面に対向および設置される。このときリンク１８上の支軸２３に偏心的に支持された蓋体２２は、自重によって塵受け箱体Ａの掃き込み口部Ｐを閉じている。
【００３３】
次に、床面に散乱した塵を掃き込む場合には、ハンドル２０を、水平軸１７を中心に図１の矢印Ｑ方向に傾け、さらにこの水平軸１７を塵受け箱体Ａの底板１１方向に押しやるように回動操作する。これにより塵受け箱体Ａは床面に対向する交換部材２８の角部２８ｅ（詳細には補強リブ３０の角部）を中心に、図１の矢印Ｒ方向に倒れていき、遂には図３に示すように、塵受け箱体Ａはその底板１１が床面に向くように寝かされる。
【００３４】
そして塵受け箱体Ａは、図１の矢印Ｒ方向に倒れる際に、蓋体２２が自重によって支軸２３を中心に回動しながら塵受け箱体Ａの天板１４に沿って図１の矢印Ｔ方向に移動し、前記掃き込み口部Ｐを図３に示すように開放する。そこで、塵受け箱体Ａを床上に移動させ、前記開放状態の掃き込み口部Ｐから塵受け箱体Ａ内に、床面上の塵を箒を用いて掃き込むことができる。続いて、別の塵を掃き取るために、ハンドル２０を持ち上げながら塵受け箱Ａを床面上に移動させる。この持ち上げと移動とによって、その塵受け箱Ａは、自重で掃き込み口が上方に向くように、水平軸１７を中心に図３の矢印Ｓ方向に回動するように傾斜する。
【００３５】
そして、かかる傾斜に続いて、ハンドル２０の持ち上げを続けることで、塵受け箱体Ａは再び図１に示す直立状態にて水平軸１７上に支持され、塞板１５が床面に向くように当該床面に設置可能となる。これよって、塵受け箱体Ａ内に前述のように掃き込まれた塵は、その塵受け箱体Ａ内の奥の方（塞板１５方向）へ送り込まれて収納される。この塵受け箱体Ａ内に収納された塵は、ハンドル２０の操作によって蓋体２２が開かれる状態にして、塵受け箱体Ａの底板１１を図７に示すようにごみ入れＭの上部にかざすように傾けることで、そのごみ入れＭ内へ排出することができる。また、かかるハンドル２０の操作によって、塵受け箱体Ａはこの底板１１および塞板１５とともに交換部材２８の底部２８ａおよび塞部２８ｄを床面に対向させながら移動する。
【００３６】
この塵受け箱体Ａの移動は、底板１１および塞板１５の各補強リブ１１ａ、１５ａと、交換部材２８の底部２８ａおよび塞部２８ｄの各補強リブ３０が床面に擦れるようにして行われるため、底板１１および塞板１５そのもの、底部２８ａおよび塞部２８ｄそのものの損耗や損壊を回避できる。また、かかる補強リブ１１ａ、１５ａ、３０は塵受け箱体Ａの床面に対する摩擦抵抗を小さくするため、塵受け箱体Ａの床面における移動を円滑にする。
【００３７】
また、一般に塵受け箱体が床面上で前記回動や移動が頻繁に繰り返されると、この塵受け箱体の底板と塞板とが連続する角部Ｋの摩耗が特に顕著となる。本実施形態では、前記塵受け箱体Ａの底板１１および塞板１５が連続する部位の角部Ｋに、前述のような補強リブ３０付きの交換部材２８を着脱可能に装着したので、塵受け箱体Ａが床面上で回動や移動が頻繁に繰り返されて、その補強リブ３０や底部２８ａや塞部２８ｄが摩耗することがあっても、その摩耗が塵受け箱体Ａの底板１１および塞板１５が連続する角部に達する前に、交換部材２８を新しいものと交換することで、塵受け箱体Ａの穴開きやその他の損傷を未然に回避することができる。この結果、塵取り具の寿命を延ばすことができる。
【００３８】
以上のように、本発明の塵取り具は、塵受け箱体Ａの少なくとも底板１１および塞板１５が連続する角部Ｋに対応する部位に、前記塵受け箱体Ａの外側から着脱できる交換部材２８を装着した構成としたものである。これにより、交換部材２８は底板１１、塞板１５および前記角部Ｋを被っているため、塵受け箱体の移動時に床面との摩擦によってその交換部材２８の底部２８ａおよび塞部２８ｄが摩耗するものの、これら各部が摩耗した交換部材２８を別に用意したものと交換するだけで、塵受け箱体Ａの底板１１、塞板１５および角部Ｋの摩耗、損傷、損壊を未然に回避でき、塵受け箱体Ａの耐用性、長寿命化を実現できる。
【００３９】
また、塵受け箱体Ａの底板１１および塞板１５の各外表面に複数本の補強リブ１１ａ、１５ａが突設したことで、ハンドル２０の操作によって塵受け箱体Ａを立ち上げたり、寝かせたり、さらには床面上で位置をずらせるように移動する際に、これらの底板１１および塞板１５が直ちに摩耗するのを回避できるとともに、床面との接触抵抗の低減によりその塵受け箱体Ａの移動をスムースに実施できる。
【００４０】
さらに、交換部材２８は断面Ｌ字状をなし、前記塵受け箱体Ａの底板１１および塞板１５に設けられた各補強リブ１１ａ、２５ａに対応する部位に交換部材側補強リブ３０を突設したことで、交換部材２８の底部２８ａ、塞部２８ｄおよび角部の損耗、損壊を回避しながら、その交換部材２８を床面に沿って滑らかに移動させることができる。
【産業上の利用可能性】
【００４１】
本発明の塵取り具は、交換部材を塵受け箱体に付け替えるだけで、塵受け箱体の底板および塞板が連続する角部の摩耗、損傷、損壊を未然に回避できるという効果を有し、路面や屋内の床面に散乱した塵などを箒を用いて掃き取って収納する塵取り具等に有用である。
【符号の説明】
【００４２】
Ａ…塵受け箱体、Ｋ…角部、Ｐ…掃き込み口、１１…底板、１１ａ…補強リブ、１１ｂ…掃き込み縁部、１２，１３…側板、１４…天板、１５…塞板、１５ａ…補強リブ、１６…ゴムヘラ、１７…水平軸、１８…リンク、１９…連結部材、２０…ハンドル、２１…回動規制部材、２２…蓋体、２３…支軸、２４…凹所、２５…突条、２６…嵌合穴、２７…治具挿入切欠、２８…交換部材、２８ａ…底部、２８ｂ，２８ｃ…側部、２８ｄ…塞部、２９…嵌合突起、３０…補強リブ、
【図１】
0003186531.tif 000003
【図２】
0003186531.tif 000004
【図３】
0003186531.tif 000005
【図４】
0003186531.tif 000006
【図５】
0003186531.tif 000007
【図６】
0003186531.tif 000008
【図７】
0003186531.tif 000009